(57)【要約】【課題】サーミスタによってコイルの温度を正確に測定すること。【解決手段】サーミスタ５０は、スロット２５に挿入されるとともに相間絶縁部４１、一対の接触部４２の一方、及びコイル２４に接触している。このため、サーミスタ５０がスロット２５において移動してしまうことが規制され、サーミスタ５０がスロット２５において正確に位置決めされる。【選択図】図２
2019030156.tif 000002
【特許請求の範囲】
【請求項１】
円筒状のヨーク、及び前記ヨークの内周面から延在する複数のティースを有する円筒状のステータコアと、
前記各ティースに巻線が集中巻きで巻回されてなるコイルと、
前記ステータコアの周方向で隣り合うティースの間に形成されたスロットに挿入され、前記各スロットを通過する前記コイルの一部と前記ステータコアとを絶縁するスロット絶縁シートと、
前記各スロットに挿入されるとともに前記各スロットにおいて前記ステータコアの周方向で隣り合う異なる相であるコイル同士を絶縁する相間絶縁シートと、
前記コイルの温度を測定するサーミスタと、を備え、
前記各ティースにおける前記ヨークとは反対側の端部には、前記ステータコアの周方向の両側に突出する一対の鍔部が形成され、
前記スロット絶縁シートは、
前記ステータコアの周方向で隣り合う前記鍔部同士の隙間であるスロットオープンに対して前記ステータコアの径方向で重なる部分で前記スロット絶縁シートにおける前記ステータコアの軸線方向の一端から他端にかけて延びる開口を形成し、前記ステータコアの周方向で隣り合う前記鍔部それぞれに沿って延びる一対の開口形成部を有し、
前記相間絶縁シートは、
前記スロットにおいて前記ステータコアの周方向で隣り合う異なる相であるコイルの間で前記ステータコアの径方向に延びる相間絶縁部と、
前記相間絶縁部における前記ステータコアの径方向内側の端部に連続し、前記一対の開口形成部における前記鍔部とは反対側の面に接触する一対の接触部と、を有し、
前記サーミスタは、前記スロットに挿入されるとともに前記相間絶縁部、前記一対の接触部の一方、及び前記コイルに接触している回転電機のステータ。
【請求項２】
前記相間絶縁シートにおける前記ステータコアの軸線方向に位置する端部それぞれは、前記ステータコアにおける前記軸線方向の両側に位置する端面それぞれから突出しており、
前記一対の接触部における前記相間絶縁部とは反対側の側縁それぞれにおいて、前記ステータコアの端面から突出している部分は、前記一対の接触部における前記軸線方向に位置する端縁に向かうにつれて互いに近づくテーパ状の傾斜縁になっており、
前記ステータコアの内周側から前記サーミスタを見たときに、前記サーミスタの一部が前記傾斜縁から突出している請求項１に記載の回転電機のステータ。
【請求項３】
前記サーミスタは、温度検出素子と、前記温度検出素子を収容する筒状のチューブと、を有し、
前記チューブにおける軸線方向に位置する端面と、前記一対の接触部における前記軸線方向に位置する端縁とが、前記ステータコアの軸線方向において同じ位置にある請求項１又は請求項２に記載の回転電機のステータ。
【発明の詳細な説明】
【技術分野】
【０００１】
本発明は、回転電機のステータに関する。
【背景技術】
【０００２】
例えば特許文献１には、永久磁石をロータに配設した永久磁石式回転電機が開示されている。このような回転電機は、電気自動車やハイブリッド自動車、さらには、燃料電池自動車などの様々な分野で駆動源として利用されている。
【０００３】
回転電機のステータは、円筒状のヨーク、及びヨークの内周面から延在する複数のティースを有する円筒状のステータコアと、各ティースに巻線が集中巻きで巻回されてなるコイルと、を備えている。コイルの一部は、ステータコアの周方向で隣り合うティースの間に形成された空間であるスロットを通過している。各スロットにおいてステータコアの周方向で隣り合うコイル同士は互いに異なる相である。また、各ティースにおけるヨークとは反対側の端部には、ステータコアの周方向の両側に突出する一対の鍔部が形成されている。
【０００４】
ステータは、各スロットに挿入されるとともに各スロットを通過するコイルの一部とステータコアとを絶縁するスロット絶縁シートを備えている。スロット絶縁シートは、スロットを形成するヨーク及びティースに沿って延びるとともに、ステータコアの周方向で隣り合うティースの鍔部同士の隙間であるスロットオープンに対してステータコアの径方向で重なる部分に開口を有する。スロット絶縁シートの開口は、スロット絶縁シートにおけるステータコアの軸線方向の一端から他端にかけて延びている。スロット絶縁シートは、ステータコアの周方向で隣り合うティースの鍔部それぞれに沿って延びて、スロット絶縁シートの開口を形成する一対の開口形成部を有している。
【０００５】
コイルは、例えば、巻線用ノズルをスロットオープン及びスロット絶縁シートの開口を介してスロットに挿入し、各ティースに巻線を集中巻きで巻回することにより形成される。また、巻線用ノズルを用いずに、予め巻線を環状に巻回したコイルをスロットオープン及びスロット絶縁シートの開口を介してスロットに挿入する場合もある。
【０００６】
また、ステータは、各スロットに挿入されるとともに各スロットにおいてステータコアの周方向で隣り合う異なる相であるコイル同士を絶縁する相間絶縁シートを備えている。相間絶縁シートは、スロットにおいてステータコアの周方向で隣り合う異なる相であるコイルの間でステータコアの径方向に延びる相間絶縁部を有している。また、相間絶縁シートは、相間絶縁部におけるステータコアの径方向内側の端部に連続するとともに一対の開口形成部それぞれにおける鍔部とは反対側の面である内面に接触する一対の接触部を有している。一対の接触部と一対の開口形成部の内面との接触は、スロット絶縁シートの開口及びスロットオープンを介したコイルとステータコアとの絶縁に寄与する。
【０００７】
また、特許文献１では、スロットにおいてステータコアの周方向で隣り合う異なる相であるコイルの間にサーミスタを配置することにより、サーミスタによってコイルの温度を測定している。サーミスタは、ステータコアの周方向で隣り合うコイルの間においてステータコアの径方向の中央部に配置されている。
【先行技術文献】
【特許文献】
【０００８】
【特許文献１】特開２０１２−１８６９０２号公報
【発明の概要】
【発明が解決しようとする課題】
【０００９】
しかしながら、特許文献１のように、サーミスタが、ステータコアの周方向で隣り合うコイルの間においてステータコアの径方向の中央部に配置されていると、サーミスタが、スロットにおいてステータコアの径方向に移動してしまう虞がある。スロットにおいてサーミスタが移動してしまうと、サーミスタによってコイルの温度を正確に測定することができなくなってしまう。
【００１０】
本発明は、上記課題を解決するためになされたものであって、その目的は、サーミスタによってコイルの温度を正確に測定することができる回転電機のステータを提供することにある。
【課題を解決するための手段】
【００１１】
上記課題を解決する回転電機のステータは、円筒状のヨーク、及び前記ヨークの内周面から延在する複数のティースを有する円筒状のステータコアと、前記各ティースに巻線が集中巻きで巻回されてなるコイルと、前記ステータコアの周方向で隣り合うティースの間に形成されたスロットに挿入され、前記各スロットを通過する前記コイルの一部と前記ステータコアとを絶縁するスロット絶縁シートと、前記各スロットに挿入されるとともに前記各スロットにおいて前記ステータコアの周方向で隣り合う異なる相であるコイル同士を絶縁する相間絶縁シートと、前記コイルの温度を測定するサーミスタと、を備え、前記各ティースにおける前記ヨークとは反対側の端部には、前記ステータコアの周方向の両側に突出する一対の鍔部が形成され、前記スロット絶縁シートは、前記ステータコアの周方向で隣り合う前記鍔部同士の隙間であるスロットオープンに対して前記ステータコアの径方向で重なる部分で前記スロット絶縁シートにおける前記ステータコアの軸線方向の一端から他端にかけて延びる開口を形成し、前記ステータコアの周方向で隣り合う前記鍔部それぞれに沿って延びる一対の開口形成部を有し、前記相間絶縁シートは、前記スロットにおいて前記ステータコアの周方向で隣り合う異なる相であるコイルの間で前記ステータコアの径方向に延びる相間絶縁部と、前記相間絶縁部における前記ステータコアの径方向内側の端部に連続し、前記一対の開口形成部における前記鍔部とは反対側の面に接触する一対の接触部と、を有し、前記サーミスタは、前記スロットに挿入されるとともに前記相間絶縁部、前記一対の接触部の一方、及び前記コイルに接触している。
【００１２】
これによれば、サーミスタが、相間絶縁シートの相間絶縁部及び一対の接触部の一方と、コイルとに接触しているため、サーミスタがスロットにおいて移動してしまうことを規制することができ、サーミスタをスロットにおいて正確に位置決めすることができる。その結果、サーミスタによってコイルの温度を正確に測定することができる。
【００１３】
上記回転電機のステータにおいて、前記相間絶縁シートにおける前記ステータコアの軸線方向に位置する端部それぞれは、前記ステータコアにおける前記軸線方向の両側に位置する端面それぞれから突出しており、前記一対の接触部における前記相間絶縁部とは反対側の側縁それぞれにおいて、前記ステータコアの端面から突出している部分は、前記一対の接触部における前記軸線方向に位置する端縁に向かうにつれて互いに近づくテーパ状の傾斜縁になっており、前記ステータコアの内周側から前記サーミスタを見たときに、前記サーミスタの一部が前記傾斜縁から突出しているとよい。
【００１４】
これによれば、例えば、一対の接触部の側縁それぞれにおいてステータコアの端面から突出している部分がステータコアの軸線方向に延びている場合に比べると、サーミスタがステータコアの内周側から視認し易くなり、サーミスタの配置位置を容易に確認することができる。
【００１５】
また、例えば、一対の接触部の側縁それぞれにおいてステータコアの端面から突出している部分がステータコアの軸線方向に延びている場合に比べると、一対の接触部におけるステータコアの端面から突出している部分がステータコアの径方向内側に倒れてしまうことを抑制することができる。その結果、サーミスタがステータコアの径方向内側に倒れてしまうことを抑制することができ、サーミスタをスロットにおいて正確に位置決めし易くすることができる。
【００１６】
上記回転電機のステータにおいて、前記サーミスタは、温度検出素子と、前記温度検出素子を収容する筒状のチューブと、を有し、前記チューブにおける軸線方向に位置する端面と、前記一対の接触部における前記軸線方向に位置する端縁とが、前記ステータコアの軸線方向において同じ位置にあるとよい。
【００１７】
これによれば、一対の接触部におけるステータコアの軸線方向に位置する端縁を、サーミスタにおける予め定められた配置位置の基準として利用することができ、サーミスタを予め定められた配置位置に位置合わせし易くすることができる。
【発明の効果】
【００１８】
この発明によれば、サーミスタによってコイルの温度を正確に測定することができる。
【図面の簡単な説明】
【００１９】
【図１】実施形態における回転電機の一部を示す断面図。
【図２】ステータを拡大して示す断面図。
【図３】ステータコア、スロット絶縁シート及び相間絶縁シートを示す分解斜視図。
【図４】ステータの一部を示す斜視図。
【図５】ステータコアを内周側から見た側面図。
【発明を実施するための形態】
【００２０】
以下、回転電機のステータを具体化した一実施形態を図１〜図５にしたがって説明する。
図１に示すように、回転電機１０は、筒状のステータ１１と、ステータ１１の内側に配置されるロータ１２と、を備えている。ステータ１１は、ロータ１２を取り囲んでいる。ロータ１２は、回転軸１３が挿通された状態で回転軸１３に固定されるとともに回転軸１３と一体的に回転する。ロータ１２は、回転軸１３に止着された円筒状のロータコア１２ａと、ロータコア１２ａに設けられた複数の永久磁石１２ｂと、を有している。本実施形態の回転電機１０は、永久磁石式回転電機である。回転電機１０は、例えば、電気自動車やハイブリッド自動車、さらには、燃料電池自動車などの駆動源として利用される。
【００２１】
図２に示すように、ステータ１１は、円筒状のステータコア２１を備えている。ステータコア２１は、円筒状のヨーク２２と、ヨーク２２の内周面２２ａから延在する複数のティース２３と、を有している。複数のティース２３は、ステータコア２１の周方向に間隔をあけて配置されるとともにヨーク２２の内周面２２ａからステータコア２１の軸線に向けて延びている。各ティース２３におけるヨーク２２の内周面２２ａとは反対側の端面は、ロータコア１２ａの外周面に沿って延びている。また、各ティース２３におけるヨーク２２とは反対側の端部には、ステータコア２１の周方向の両側に突出する一対の鍔部２３ａが形成されている。
【００２２】
また、ステータ１１は、各ティース２３に巻線２４ａが集中巻きで巻回されてなるコイル２４を備えている。コイル２４の一部は、ステータコア２１の周方向で隣り合うティース２３の間に形成された空間であるスロット２５を通過している。各スロット２５においてステータコア２１の周方向で隣り合うコイル２４同士は互いに異なる相（Ｕ相、Ｖ相及びＷ相）である。
【００２３】
各コイル２４は、巻線２４ａの巻き始め端部に一方の引出線を有し、各相のコイル２４の一方の引出線は、相毎にまとめられて、対応する相の図示しない給電端子に電気的に接続されている。また、各コイル２４は、巻線２４ａの巻き終わり端部に他方の引出線を有し、各相のコイル２４の他方の引出線は、図示しない中性点連結部において相互に電気的に接続されている。そして、コイル２４に電流が流れることによって、ロータ１２と回転軸１３とが一体的に回転する。
【００２４】
ステータ１１は、各スロット２５に挿入されるスロット絶縁シート３０（インシュレータ）を備えている。スロット絶縁シート３０は、各スロット２５を通過するコイル２４の一部とステータコア２１とを絶縁する。
【００２５】
図３に示すように、スロット絶縁シート３０は、細長帯状のシートを短手方向に沿って略Ｕ字状に湾曲させた形状である。スロット絶縁シート３０は、その長手方向がステータコア２１の軸線方向に一致した状態でスロット２５に挿入されている。
【００２６】
図２及び図３に示すように、スロット絶縁シート３０は、スロット２５を形成するヨーク２２及びティース２３に沿って延びている。スロット絶縁シート３０は、ステータコア２１の周方向で隣り合うティース２３の鍔部２３ａ同士の隙間であるステータコア２１のスロットオープン２５ａに対してステータコア２１の径方向で重なる部分に開口３０ａを有する。開口３０ａは、スロット絶縁シート３０の長手方向の一端から他端にかけて延びている。
【００２７】
なお、コイル２４は、例えば、巻線用ノズルをスロットオープン２５ａ及びスロット絶縁シート３０の開口３０ａを介してスロット２５に挿入し、各ティース２３に巻線２４ａを集中巻きで巻回することにより形成される。また、巻線用ノズルを用いずに、予め巻線２４ａを環状に巻回したコイル２４をスロットオープン２５ａ及びスロット絶縁シート３０の開口３０ａを介してスロット２５に挿入する場合もある。コイル２４は、巻線２４ａにワニスが滴下されてワニスで固められることにより形成されている。
【００２８】
スロット絶縁シート３０は、ヨーク２２の内周面２２ａに沿って延びる湾曲部３１と、ステータコア２１の周方向で隣り合うティース２３に沿って延びる一対の直線部３２と、ステータコア２１の周方向で隣り合うティース２３の鍔部２３ａそれぞれに沿って延びて、開口３０ａを形成する一対の開口形成部３３と、を有している。
【００２９】
湾曲部３１におけるステータコア２１の周方向の一方の端縁は、一対の直線部３２の一方と連続している。湾曲部３１におけるステータコア２１の周方向の他方の端縁は、一対の直線部３２の他方と連続している。一対の直線部３２の一方における湾曲部３１とは反対側の端部は、一対の開口形成部３３の一方と連続している。一対の直線部３２の他方における湾曲部３１とは反対側の端部は、一対の開口形成部３３の他方と連続している。
【００３０】
ヨーク２２の内周面２２ａは湾曲部３１に接触している。ステータコア２１の周方向で隣り合うティース２３は一対の直線部３２それぞれに接触している。ステータコア２１の周方向で隣り合うティース２３の鍔部２３ａそれぞれは一対の開口形成部３３それぞれに接触している。
【００３１】
図３に示すように、スロット絶縁シート３０は、スロット絶縁シート３０の長手方向の両端部それぞれにカフス部３４を有している。カフス部３４は、スロット絶縁シート３０におけるステータコア２１の端面２１ｅから突出した端部をステータコア２１の端面２１ｅに向けて折り曲げることにより形成されている。スロット絶縁シート３０は、ステータコア２１の両端面２１ｅから突出している両カフス部３４の先端縁３４ｅがステータコア２１の端面２１ｅにそれぞれ接触することにより、スロット２５に対するステータコア２１の軸線方向への移動が規制されている。
【００３２】
図２に示すように、ステータ１１は、各スロット２５に挿入される相間絶縁シート４０を備えている。相間絶縁シート４０は、各スロット２５においてステータコア２１の周方向で隣り合う異なる相であるコイル２４同士を絶縁する。
【００３３】
図３に示すように、相間絶縁シート４０は、細長帯状のシートを略Ｖ字状に折り曲げた形状である。相間絶縁シート４０は、その長手方向がステータコア２１の軸線方向に一致した状態でスロット２５に挿入されている。
【００３４】
図２及び図３に示すように、相間絶縁シート４０は、スロット２５においてステータコア２１の周方向で隣り合う異なる相であるコイル２４の間でステータコア２１の径方向に延びる相間絶縁部４１を有している。相間絶縁部４１は、スロット２５においてステータコア２１の周方向で隣り合うコイル２４の間の相間隙間に挿入される。
【００３５】
相間絶縁部４１は、山折りに折り曲げ形成されている。相間絶縁部４１は、スロット２５においてステータコア２１の周方向で隣り合うコイル２４の一方とステータコア２１の周方向で対向配置される細長シート状の第１対向部４１ａを有している。また、相間絶縁部４１は、スロット２５においてステータコア２１の周方向で隣り合うコイル２４の他方とステータコア２１の周方向で対向配置される細長シート状の第２対向部４１ｂを有している。第１対向部４１ａにおけるステータコア２１の径方向外側の端部と、第２対向部４１ｂにおけるステータコア２１の径方向外側の端部とは繋がっている。
【００３６】
また、相間絶縁シート４０は、相間絶縁部４１におけるステータコア２１の径方向内側の端部に連続するとともに一対の開口形成部３３それぞれにおける鍔部２３ａとは反対側の面である内面３３ａに接触する一対の接触部４２を有している。一対の接触部４２における相間絶縁部４１とは反対側の端部は、一対の開口形成部３３の内面３３ａとコイル２４との間に配置されている。一対の接触部４２における相間絶縁部４１側の端部は、ステータコア２１の周方向で隣り合うティース２３の鍔部２３ａに接触している。
【００３７】
一対の接触部４２の一方は、第１対向部４１ａにおけるステータコア２１の径方向内側の端部に連続する細長シート状である。一対の接触部４２の他方は、第２対向部４１ｂにおけるステータコア２１の径方向内側の端部に連続する細長シート状である。一対の接触部４２は互いに離間する方向へ延びている。
【００３８】
一対の接触部４２と一対の開口形成部３３の内面３３ａとの接触は、スロット絶縁シート３０の開口３０ａ及びスロットオープン２５ａを介したコイル２４とステータコア２１との絶縁に寄与している。
【００３９】
図４に示すように、相間絶縁シート４０における長手方向に位置する端部それぞれは、ステータコア２１の両端面２１ｅそれぞれから突出している。一対の接触部４２における相間絶縁部４１とは反対側の側縁４２ａそれぞれにおいて、ステータコア２１の端面２１ｅから突出している部分は、一対の接触部４２における相間絶縁シート４０の長手方向に位置する端縁４２ｅに向かうにつれて互いに近づくテーパ状の傾斜縁４２ｂになっている。各接触部４２の端縁４２ｅと傾斜縁４２ｂとは連続している。
【００４０】
相間絶縁部４１におけるステータコア２１の端面２１ｅから突出している端部は、ステータコア２１の周方向で隣り合う異なる相であるコイル２４においてステータコア２１の端面２１ｅから突出している部分であるコイルエンド２４ｅ同士を絶縁する。一対の接触部４２におけるステータコア２１の端面２１ｅから突出している端部は、コイルエンド２４ｅにおけるステータコア２１の径方向内側への移動を規制するとともに、コイルエンド２４ｅとステータコア２１の端面２１ｅとを絶縁する。
【００４１】
図２、図４及び図５に示すように、ステータ１１は、コイル２４の温度を測定するサーミスタ５０を備えている。図５に示すように、サーミスタ５０は、温度検出素子５１と、温度検出素子５１を収容する樹脂製である円筒状のチューブ５２と、温度検出素子５１に電気的に接続される配線５３と、を有している。温度検出素子５１は、チューブ５２内において、チューブ５２の軸線方向の一端部寄りに配置されている。
【００４２】
図４及び図５に示すように、サーミスタ５０は、その一部分がスロット２５に挿入されている。サーミスタ５０は、チューブ５２の軸線方向がステータコア２１の軸線方向に一致した状態でスロット２５に挿入されている。チューブ５２の一端部はスロット２５に挿入されるとともに、チューブ５２の他端部は、ステータコア２１の端面２１ｅから突出している。温度検出素子５１は、スロット２５内に配置されている。
【００４３】
図２に示すように、チューブ５２の一端部は、スロット２５における相間絶縁部４１の第１対向部４１ａ、一対の接触部４２の一方、及びコイル２４によって囲まれる空間２５ｓに挿入されている。空間２５ｓは、第１対向部４１ａ、一対の接触部４２の一方、及びスロット絶縁シート３０によって囲まれる空間の角部に位置している。空間２５ｓは、その一部が、ステータコア２１の径方向においてスロットオープン２５ａと重なっている。
【００４４】
チューブ５２の外周面５２ａは、第１対向部４１ａ、一対の接触部４２の一方、及びコイル２４に接触している。そして、チューブ５２は、コイル２４の弾性力によって一対の接触部４２の一方を介してティース２３の鍔部２３ａに押し付けられている。これにより、サーミスタ５０におけるスロット２５に対する位置決めがなされている。その結果、温度検出素子５１は、スロット２５において、ステータコア２１の内周寄りに配置され、ロータ１２に近い位置に配置されている。よって、温度検出素子５１は、ロータ１２に近い箇所のコイル２４の温度を測定可能になっている。
【００４５】
図４及び図５に示すように、ステータコア２１の内周側からサーミスタ５０を見たときに、チューブ５２の他端部の一部は、一対の接触部４２の一方の傾斜縁４２ｂから突出している。また、チューブ５２における軸線方向に位置する他端部側の端面５２ｅと、一対の接触部４２の一方の端縁４２ｅとは、ステータコア２１の軸線方向において同じ位置にある。よって、チューブ５２は、チューブ５２の端面５２ｅと一対の接触部４２の一方の端縁４２ｅとがステータコア２１の軸線方向において同じ位置になるように位置合わせされた状態で空間２５ｓに挿入されている。つまり、一対の接触部４２の一方の端縁４２ｅは、サーミスタ５０における予め定められた配置位置の基準として利用されている。
【００４６】
図４に示すように、チューブ５２におけるステータコア２１の端面２１ｅから突出している他端部の外周面５２ａは、第１対向部４１ａ及び一対の接触部４２の一方に接触している。チューブ５２の他端部の外周面５２ａが一対の接触部４２の一方に接触していることにより、チューブ５２がステータコア２１の径方向内側に倒れてしまうことが一対の接触部４２の一方によって抑制されている。
【００４７】
サーミスタ５０は、巻線２４ａに滴下されるワニスがチューブ５２と巻線２４ａとの間にも滴下されることにより、チューブ５２と巻線２４ａとの間に介在されるワニスによって巻線２４ａに対して固定されている。
【００４８】
次に、本実施形態の作用について説明する。
チューブ５２の外周面５２ａは、第１対向部４１ａ、一対の接触部４２の一方、及びコイル２４に接触しているため、サーミスタ５０がスロット２５において移動してしまうことが規制されており、サーミスタ５０がスロット２５において正確に位置決めされる。そして、サーミスタ５０の温度検出素子５１は、スロット２５において、ステータコア２１の内周寄りに配置されており、ロータ１２に近い位置に配置されている。よって、温度検出素子５１は、コイル２４におけるロータ１２に近い箇所である発熱し易い部分の温度を測定する。
【００４９】
上記実施形態では以下の効果を得ることができる。
（１）サーミスタ５０は、スロット２５に挿入されるとともに相間絶縁部４１、一対の接触部４２の一方、及びコイル２４に接触しているため、サーミスタ５０がスロット２５において移動してしまうことを規制することができ、サーミスタ５０をスロット２５において正確に位置決めすることができる。その結果、サーミスタ５０によってコイル２４の温度を正確に測定することができる。
【００５０】
（２）ステータコア２１の内周側からサーミスタ５０を見たときに、チューブ５２の他端部の一部は、一対の接触部４２の一方の傾斜縁４２ｂから突出している。これによればため、例えば、一対の接触部４２の側縁４２ａそれぞれにおいてステータコア２１の端面２１ｅから突出している部分がステータコア２１の軸線方向に延びている場合に比べると、サーミスタ５０がステータコア２１の内周側から視認し易くなり、サーミスタ５０の配置位置を容易に確認することができる。
【００５１】
（３）例えば、一対の接触部４２の側縁４２ａそれぞれにおいてステータコア２１の端面２１ｅから突出している部分がステータコア２１の軸線方向に延びている場合に比べると、一対の接触部４２におけるステータコア２１の端面２１ｅから突出している部分がステータコア２１の径方向内側に倒れてしまうことを抑制することができる。その結果、サーミスタ５０がステータコア２１の径方向内側に倒れてしまうことを抑制することができ、サーミスタ５０をスロット２５において正確に位置決めし易くすることができる。
【００５２】
（４）チューブ５２における軸線方向に位置する他端部側の端面５２ｅと、一対の接触部４２の一方の端縁４２ｅとが、ステータコア２１の軸線方向において同じ位置にある。これによれば、一対の接触部４２の一方の端縁４２ｅを、サーミスタ５０における予め定められた配置位置の基準として利用することができ、サーミスタ５０を予め定められた配置位置に位置合わせし易くすることができる。
【００５３】
（５）サーミスタ５０の温度検出素子５１は、スロット２５において、ステータコア２１の内周寄りに配置されており、ロータ１２に近い位置に配置されている。よって、温度検出素子５１は、コイル２４におけるロータ１２に近い箇所である発熱し易い部分の温度を測定することができる。
【００５４】
（６）スロット２５におけるチューブ５２が挿入される空間２５ｓは、第１対向部４１ａ、一対の接触部４２の一方、及びスロット絶縁シート３０によって囲まれる空間の角部に位置しており、ステータコア２１の径方向においてスロットオープン２５ａと重なる位置にある。よって、例えば、コイル２４の発熱によって生じるコイル２４の膨張などによってサーミスタ５０に加わる応力を、一対の接触部４２の一方を介してスロットオープン２５ａに逃がすことができ、サーミスタ５０にかかる荷重を軽減することができる。
【００５５】
（７）一対の接触部４２における相間絶縁部４１とは反対側の側縁４２ａそれぞれにおいて、ステータコア２１の端面２１ｅから突出している部分は、一対の接触部４２における相間絶縁シート４０の長手方向に位置する端縁４２ｅに向かうにつれて互いに近づくテーパ状の傾斜縁４２ｂになっている。これによれば、例えば、一対の接触部４２の側縁４２ａそれぞれにおいて、ステータコア２１の端面２１ｅから突出している部分が相間絶縁シート４０の長手方向に延びている場合に比べると、相間絶縁シート４０をスロット２５に挿入し易くすることができる。
【００５６】
（８）一対の接触部４２における相間絶縁部４１とは反対側の側縁４２ａそれぞれにおいて、ステータコア２１の端面２１ｅから突出している部分が、一対の接触部４２における相間絶縁シート４０の長手方向に位置する端縁４２ｅに向かうにつれて互いに近づくテーパ状の傾斜縁４２ｂになっているため、サーミスタ５０にワニスを滴下し易い。その結果、サーミスタ５０と巻線２４ａとの間にワニスが滴下され易くなり、サーミスタ５０と巻線２４ａとがワニスによって固定され易くなる。
【００５７】
なお、上記実施形態は以下のように変更してもよい。
○  実施形態において、一対の接触部４２の側縁４２ａそれぞれのステータコア２１の端面２１ｅから突出している部分が、相間絶縁シート４０の長手方向に延びていてもよい。
【００５８】
○  実施形態において、ステータコア２１の内周側からサーミスタ５０を見たときに、チューブ５２が一対の接触部４２の一方の傾斜縁４２ｂから突出していなくてもよい。
○  実施形態において、チューブ５２の端面５２ｅが、一対の接触部４２の一方の端縁４２ｅよりも、ステータコア２１の軸線方向においてステータコア２１の端面２１ｅとは反対側へ突出していてもよい。
【００５９】
○  実施形態において、チューブ５２の端面５２ｅが、一対の接触部４２の一方の端縁４２ｅよりも、ステータコア２１の軸線方向においてステータコア２１の端面２１ｅ寄りに位置していてもよい。
【００６０】
○  実施形態において、スロット絶縁シート３０の材質は特に限定されるものではなく、電気絶縁性に優れた材質であればよい。
○  実施形態において、相間絶縁シート４０の材質は特に限定されるものではなく、電気絶縁性に優れた材質であればよい。
【符号の説明】
【００６１】
１０…回転電機、１１…ステータ、２１…ステータコア、２１ｅ…端面、２２…ヨーク、２２ａ…内周面、２３…ティース、２３ａ…鍔部、２４…コイル、２４ａ…巻線、２５…スロット、２５ａ…スロットオープン、３０…スロット絶縁シート、３０ａ…開口、３３…開口形成部、４０…相間絶縁シート、４１…相間絶縁部、４２…接触部、４２ａ…側縁、４２ｂ…傾斜縁、４２ｅ…端縁、５０…サーミスタ、５１…温度検出素子、５２…チューブ、５２ｅ…端面。
【図１】
2019030156.tif 000003
【図２】
2019030156.tif 000004
【図３】
2019030156.tif 000005
【図４】
2019030156.tif 000006
【図５】
2019030156.tif 000007